(57)【要約】【課題】ボイド型枠架台のスラブ型枠への固定がスラブ型枠の上側からのみで行え、人員の削減と工期の短縮及び作業の安全性向上が図れるボイド型枠架台の固定装置を提供する。【解決手段】スラブ型枠１６の貫通孔１７を通過させることができるナット部材１９と、ナット部材１９の一面側に固定したバネ部材２０と、ボイド型枠架台１１へ係止するフック部材２１と、前記フック部材２１のねじ挿通孔３２からナット部材１９のねじ孔２３にねじ込むねじ部材２２とからなり、スラブ型枠１６の貫通孔１７に上から挿通したナット部材１９をバネ部材２０でスラブ型枠１６の裏面側に保持し、ねじ部材２２を、ボイド型枠架台１１へ係止したフック部材２１のねじ挿通孔３２からナット部材１９のねじ孔２３にねじ込むことにより、スラブ型枠１６にボイド型枠架台１１を固定する。【選択図】図３
2010248733.tif 000002
【特許請求の範囲】
【請求項１】
スラブ型枠の上面に設置したボイド型枠架台を、このスラブ型枠に設けた貫通孔を用いてスラブ型枠に固定するボイド型枠架台の固定装置であり、
前記スラブ型枠の貫通孔を通過させることができる幅と厚み及び、前記貫通孔の直径よりも長い長さを有し、長さ方向の中間部に厚みを貫通するようにねじ孔が設けられたナット部材と、
小径側端部が貫通孔内に収まって前記ねじ孔よりも大径で、大径側端部が前記貫通孔よりも大径となり、引き伸ばすことで前記貫通孔を強制通過させることができるテーパー状に形成され、前記小径側端部をナット部材の一面側に前記ねじ孔と同軸心の配置で固定したバネ部材と、
上部にボイド型枠架台へ係止するフック部と下部にねじ挿通孔が設けられたフック部材と、
前記フック部材のねじ挿通孔からナット部材のねじ孔にねじ込むねじ部材とからなり、
このねじ部材は、一端に頭部を有するねじ軸が、フック部材のねじ挿通孔に挿通した状態でスラブ型枠の裏面側に突出する長さを有し、前記ねじ軸の途中にねじ切り部と先端に回転工具の係合部が設けられているボイド型枠架台の固定装置。
【請求項２】
上記ナット部材は、スラブ型枠の裏面に対する接触面が平坦となるよう厚み方向の断面が半円形となり、前記接触面に、回転防止用の突起と、ねじ孔の周囲を囲むバネ部材結合部が設けられている請求項１に記載のボイド型枠架台の固定装置。
【請求項３】
上記バネ部材は、金属線を左巻きしたコイルバネで形成されている請求項１又は２に記載のボイド型枠架台の固定装置。
【請求項４】
上記ねじ部材は、頭部が多角形となり、ねじ軸の途中に設けたねじ切り部が、フック部材のねじ挿通孔に挿通した状態で、スラブ型枠の上面に等しいかそれよりも上に位置するように設定されている請求項１乃至３の何れかに記載のボイド型枠架台の固定装置。
【発明の詳細な説明】
【技術分野】
【０００１】
この発明は、ボイドスラブを構築する場合に、鋼管などからなるボイド型枠を支持するため、スラブ型枠の上面に設置したボイド型枠架台を、スラブ型枠に対して固定化するためのボイド型枠架台の固定装置に関する。
【背景技術】
【０００２】
従来、コンクリートスラブの内部に鋼管などからなるボイド型枠を水平に埋設したボイドスラブを構築する一般的な方法は、図１０に示すように、下部に下向きの軸１を固定したボイド型枠架台２を用い、予め貫通孔３を設けたスラブ型枠４の上面に前記ボイド型枠架台２を設置し、このボイド型枠架台２に設けた軸１を前記貫通孔３にスラブ型枠４の上面側から挿通して下面側に突出させ、スラブ型枠４の下面側において、軸１に螺合したナット５を締め付けたり、軸にクサビ形金具を打ち込むことで、ボイド型枠架台２をスラブ型枠４に引き寄せて固定化し、この状態でボイド型枠架台４の上にボイド型枠６を載置固定し、コンクリート７の打設によりボイド型枠６が浮力によって浮き上がらないようにしてボイドスラブを成形するようにしている。
【０００３】
また、ボイドスラブを構築する他の方法として、ボイド型枠に断面下向きコ字状の型材を用い、これをスラブ型枠上に配置する方法（例えば特許文献１参照）や、スラブ型枠上に配置した軽量ボイド管の内部に水を注入して浮き上がりを防止した状態でコンクリートを打設する方法（例えば特許文献２参照）が提案されている。
【先行技術文献】
【特許文献】
【０００４】
【特許文献１】特公平６−２７３７０号公報
【特許文献２】特開平９−３１０４４０号公報
【発明の概要】
【発明が解決しようとする課題】
【０００５】
ところで、上記のような従来のボイド型枠架台の固定構造は、ボイド型枠架台を固定するためにスラブ型枠の上側での作業と下側での作業が必要になり、スラブ型枠の上側と下側に作業人員を配置しなければならないという不便がある。
【０００６】
また、ボイド型枠架台の固定時に、スラブ型枠の下面側において、軸に螺合したナットを締め付けたり、軸にクサビ形金具を打ち込む作業は高所での作業になり、脚立に上っての作業はかなりの労力を要するだけでなく危険を伴う。
【０００７】
また、下側の作業者が不用意に上記軸に接触した場合、予め、施工図面通りにボイド型枠架台を位置決めしたにもかかわらず、位置ずれを起こし、ボイド型枠架台を所定の位置に再配置しなければならず、無駄な作業時間を要することになる。
【０００８】
更に、ボイド型枠架台の位置調整時に、下の作業員は大きな声で上の作業員と連絡を取らなければならず、声が聞こえにくい場合に調整作業が行いにくいという問題がある。
【０００９】
また、特許文献１で示したボイドスラブの構築方法は、ボイド型枠の固定に鉄筋の埋設が必要になり、コンクリートの打設を二回に分けて行わなければならないので、工期が長くかかることになる。
【００１０】
上記特許文献２で示したボイドスラブの構築方法は、ボイド型枠内への水の注入や抜き取りの作業が必要になり、スラブ構築にこのような作業を行うのは実際に面倒であり、実用性に乏しいものである。
【００１１】
そこで、この発明の課題は、ボイド型枠架台のスラブ型枠への固定がスラブ型枠の上側からのみで行えるようにし、スラブ型枠上下での面倒くさい連絡を取る必要がなく、人員の削減と工期の短縮、人件費の削減及び作業の安全性向上が図れるボイド型枠架台の固定装置を提供することにある。
【課題を解決するための手段】
【００１２】
上記のような課題を解決するため、この発明は、スラブ型枠の上面に設置したボイド型枠架台を、このスラブ型枠に設けた貫通孔を用いてスラブ型枠に固定するボイド型枠架台の固定装置であり、前記スラブ型枠の貫通孔を通過させることができる幅と厚み及び、前記貫通孔の直径よりも長い長さを有し、長さ方向の中間部に厚みを貫通するようにねじ孔が設けられたナット部材と、小径側端部が貫通孔内に収まって前記ねじ孔よりも大径で、大径側端部が前記貫通孔よりも大径となり、引き伸ばすことで前記貫通孔を強制通過させることができるテーパー状に形成され、前記小径側端部をナット部材の一面側に前記ねじ孔と同軸心の配置で固定したバネ部材と、上部にボイド型枠架台へ係止するフック部と下部にねじ挿通孔が設けられたフック部材と、前記フック部材のねじ挿通孔からナット部材のねじ孔にねじ込むねじ部材とからなり、このねじ部材は、一端に頭部を有するねじ軸が、フック部材のねじ挿通孔に挿通した状態でスラブ型枠の裏面側に突出する長さを有し、前記ねじ軸の途中にねじ切り部と先端に回転工具の係合部が設けられているようにしたものである。
【００１３】
上記ナット部材は、スラブ型枠の裏面に対する接触面が平坦となるよう厚み方向の断面が半円形となり、前記接触面に、回転防止用の突起と、ねじ孔の周囲を囲むバネ部材結合部が設けられているようにしたり、上記バネ部材は、金属線を左巻きしたコイルバネで形成されているようにすることができる。
【００１４】
更に、上記ねじ部材は、頭部が多角形となり、ねじ軸の途中に設けたねじ切り部が、フック部材のねじ挿通孔に挿通した状態で、スラブ型枠の上面に等しいかそれよりも上に位置するように設定されている構造とすることができる。
【００１５】
ここで、上記ボイド型枠架台は、金属線材を例えば半円弧状に加工した受け部材の下部両側の位置に同じく金属線材を用いた二又の支持脚をそれぞれ溶接した構造を有し、受け部材に載置したボイド型枠は、スラブ型枠の上に所定高さで配置され、両端を受け部材に固定した線材で上から押さえ込むようにして固定するようになっている。
【００１６】
上記フック部材は、帯板状の金属板を用いた縦板の上端に一面側へ屈曲するフック部と、下端に他面側へ折れ曲がる屈曲片を設けて形成され、前記フック部を上記ボイド型枠架台における受け部材の下部中央位置に係止した吊下げ状態で、屈曲片はスラブ型枠の上面よりも上に位置するような上下寸法になっており、この屈曲片にねじ挿通孔が設けられている。
【００１７】
また、上記ナット部材は、スラブ型枠の貫通孔に対して半分程度となる断面半円状の棒状で両端が半球形状となり、弧状となる外面には長さ方向に沿う複数のリブが形成され、強度の向上を図ると同時に、スラブ型枠の貫通孔に挿通したとき、貫通孔の内周面との接触面積を少なくし、貫通孔に対する通過が円滑に得られるようになっている。
【発明の効果】
【００１８】
この発明によると、スラブ型枠上へのボイド型枠架台の固定が、型枠の上面側からの作業だけで行えるようになり、スラブ型枠上下での面倒くさい連絡を取る必要がなく、一人の作業員で固定作業が行えるので、ボイドスラブ構築に要する人員の削減と工期の短縮、人件費の削減及び作業の安全性向上が図れる。
【００１９】
また、ボイド型枠架台の固定時において、スラブ型枠下面での高所作業が不要になり、上側からのみの作業となり、安全性の向上だけでなく作業の効率化と納期の短縮化が可能になる。
【００２０】
更に、ねじ部材の軸部をスラブ型枠の上面で折り取ることができるので、スラブ型枠解体後におけるスラブ下面の処理作業が容易となると共に、ナット部材が突起を有しているので、スラブ型枠に必要以上の傷を与えず、長期に渡りスラブ型枠の再利用を可能とすることができる。
【図面の簡単な説明】
【００２１】
【図１】（ａ）はこの発明に係る固定装置を示す分解斜視図、（ｂ）は固定装置の組立てた状態を示す拡大した縦断側面図
【図２】ボイド型枠架台を示す斜視図
【図３】固定装置を用いてボイド型枠架台をボイド型枠に固定した状態を示す縦断正面図
【図４】図３の矢印Ａ−Ａに沿う縦断側面図
【図５】（ａ）は固定装置におけるナット部材とバネ部材を結合するバネ部材結合部の第１の例を示す拡大した縦断面図、（ｂ）はバネ部材結合部の第２の例を示す拡大した縦断面図、（ｃ）はバネ部材結合部の第３の例を示す拡大した縦断面図
【図６】（ａ）はスラブ型枠の貫通孔にナット部材とバネ部材を差込んだ状態の縦断面図、（ｂ）はスラブ型枠上のボイド型枠架台に係止したフック部材のねじ挿通孔にねじ部材を挿通し、これをナット部材のねじ孔にねじ込む状態を示す縦断面図、（ｃ）はねじ部材をねじ込んでボイド型枠架台を固定した状態を示す縦断面図
【図７】（ａ）はボイド型枠架台にボイド型枠を固定した状態を示す縦断面図、（ｂ）はスラブ型枠上にコンクリート打設した状態を示す縦断面図
【図８】（ａ）はねじ部材の先端に回転工具を結合した状態を示す縦断面図、（ｂ）はねじ部材のねじ軸を切り取った状態を示す縦断面図
【図９】切り取ったねじ部材のねじ軸とナット部材をスラブ型枠から取り除いた状態を示す縦断面図
【図１０】従来の固定装置を用いてボイド型枠架台をスラブ型枠に固定した状態を示す縦断正面図
【発明を実施するための形態】
【００２２】
以下、この発明の実施の形態を添付図面に基づいて説明する。
【００２３】
図２は、ボイドスラブを構築する鋼管等のボイド型枠をスラブ型枠の上面に配置するボイド型枠架台１１を示し、金属線材を半円弧状に加工した受け部材１２の下部両側の位置に同じく金属線材を用いた二又の支持脚１３をそれぞれ溶接した構造を有し、受け部材１２に載置したボイド型枠１４は、スラブ型枠の上に所定高さで配置され、両端を受け部材に固定した線材１５等で上から押さえ込むようにして固定するようになっている。
【００２４】
図３と図４のように、上記ボイド型枠架台１１をスラブ型枠１６の上に固定するため、スラブ型枠１６には、ボイド型枠架台１１を配置する位置に予め所定の直径の貫通孔１７が設けられている。
【００２５】
なお、ナット部材１９と貫通孔１７の最も好ましい関係は、貫通孔１７へナット部材１９を通過させるための互いの最小の隙間を０．４ｍｍとすることである。これは、ナット部材１９の剛性や、ボイド型枠架台１１を固定するための強度を最大限に引き出し、且つ、コンクリート打設後、より広い面積で貫通孔１７を塞ぐことにより、コンクリート等の流出を防ぐ効果が向上するためである。
【００２６】
上記ボイド型枠架台１１をスラブ型枠１６の上に固定する固定装置１８は、図１のように、前記コンクリート型枠１６の貫通孔１７に挿通するナット部材１９と、このナット部材１９の一面側に固定したバネ部材２０と、前記ボイド型枠架台１１へ係止するフック部材２１と、前記フック部材２１とナット部材１９を結合するねじ部材２２とで構成されている。
【００２７】
上記ナット部材１９は、スラブ型枠１６の貫通孔１７を通過させることができる幅と厚み及び、前記貫通孔１７の直径よりも長い長さを有し、長さ方向の中間部に厚みを貫通するようにねじ孔２３が設けられている。
【００２８】
このナット部材１９は、スラブ型枠１６の貫通孔１７に対して直径の半分程度となる断面半円状の棒状で両端が半球形状となり、弧状となる外面には長さ方向に沿う複数のリブ２４が形成され、強度の向上を図ると同時に、スラブ型枠１６の貫通孔１７に挿通したとき、貫通孔１７の内周面との接触面積を少なくし、貫通孔１７に対する通過が円滑に得られるようになっている。
【００２９】
上記ナット部材１９は、スラブ型枠１６の裏面に対して接触する面が平坦面１９ａとなり、この平坦面１９ａには、両端部の位置に、スラブ型枠の下面に食い込む回転防止用の突起２５と、ねじ孔２３の周囲を囲むようにバネ部材結合部２６が設けられている。
【００３０】
このような構成によって、ねじ部材２２の螺入に伴うナット部材１９の共回りを抑止することが可能となる。換言すれば、スラブ型枠１６の下面への食い込みによって、施工失敗の抑止効果と共に、スラブ型枠１６は最小限の傷のみで済むことになり、長期にわたりスラブ型枠１６の再利用が可能となる。
【００３１】
また、ねじ孔２３の周囲を囲むバネ部材結合部２６を設けることで挿通後、スラブ型枠１６の貫通孔内周に該バネ部材結合部２６が収容され、貫通孔１７の軸芯とナット部材のねじ孔２３の軸芯が近づき、且つ、上面側にねじ孔２３の開口が近づくことで、施工時のねじ部材２２の螺入を円滑にすることが可能となる。
【００３２】
上記バネ部材２０の一例では、金属線を左巻きしたテーパー状の金属線が密着したコイルバネで形成され、小径側端部が貫通孔１７内に収まって前記ねじ孔２３よりも大径で、大径側端部が前記貫通孔１７よりも少し大径となり、引き伸ばすことで前記貫通孔１７を強制通過させることができるようになっており、前記小径側端部をナット部材１９の平坦面１９ａ側にバネ部材結合部２６で前記ねじ孔２３と同軸心の配置で固定されている。
【００３３】
このような構成とすることで、ねじ部材２２をナット部材１９に押し込む際、ねじ部材２２がテーパー内面を滑るようにして押し込まれ、ねじ部材２２の軸芯とナット部材１９の軸芯が最終的に合致することになり、螺合の失敗がない。
【００３４】
図５（ａ）乃至（ｃ）は、上記バネ部材結合部の異なった例を示し、図５（ａ）に示す第１の例のバネ部材結合部２６は、ナット部材１９の平坦面１９ａでねじ孔２３の周囲に外筒２７と内筒２８をねじ孔２３と同軸心の配置で突設し、バネ部材２０の小径側端部を外筒２７と内筒２８の間に納め、内筒２８の上端を外方に折り曲げることで、バネ部材２０をナット部材１９に固定するようになっている。
【００３５】
このようにすることで、ねじ部材２２をナット部材１９に押し込む際、上端が外方に折り曲げられたことにより、なめらかな傾斜面を形成され、ねじ部材２２がナット部材１９に平面的に衝突することも無く、螺合に手間取ることがない。またバネ部材２０とナット部材１９が物理的に固定され、螺合時にバネ部材２０がナット部材１９から外れることを防ぐことも可能となる。
【００３６】
図５（ｂ）の第２の例のバネ部材結合部２６は、ナット部材１９の平坦面１９ａでねじ孔２３の周囲に円筒２９をねじ孔２３と同軸心の配置で突設し、この円筒２９の外周で根元の位置に周溝３０を設け、バネ部材２０の小径側端部を円筒２９に外嵌して端部を周溝３０へ弾力的に嵌め合わせることにより、バネ部材２０をナット部材１９に固定するようになっている。
【００３７】
このようにすることで、バネ部材２０とナット部材１９の組み立てが容易になると共に、バネ部材２０とナット部材１９が物理的に固定され、螺合時にバネ部材２０がナット部材１９から外れることを防ぐことも可能となる。
【００３８】
図５（ｃ）の第３の例のバネ部材結合部２６は、ナット部材１９の平坦面１９ａでねじ孔２３の周囲に上端が大径となるテーパー筒３１をねじ孔２３と同軸心の配置で突設し、バネ部材２０の小径側端部をテーパー筒３１へ弾力的に嵌め合わせることにより、バネ部材２０をナット部材１９に固定するようになっている。
【００３９】
このようにすることで、バネ部材２０とナット部材１９の係止面積が拡大し、螺合時にバネ部材２０がナット部材１９から外れるにくくなるとともに、スラブ型枠１６の貫通孔１７へ通過させる場合、バネ部材２０は伸びるが、テーパー状にナット部材１９に巻き付けられているので伸びによる局部的な応力集中を防ぐことが可能となり、挿通後のバネの伸びきりを防ぐことが可能となる。
【００４０】
上記した各バネ部材結合部２６は、スラブ型枠１６の貫通孔１７内に収まる外径に設定され、ナット部材１９に固定したバネ部材２０は、大径端が貫通孔１７よりも大径になっているので、ナット部材１９を縦にしてスラブ型枠１６の上面から貫通孔１７を通過させても、バネ部材２０が抜け止めとなり、スラブ型枠１９の裏面側に落下することはない。
【００４１】
上記フック部材２１は、帯板状の金属板を用い、縦板２１ａの上端にボイド型枠架台１１へ係止するため、一面側へ屈曲するフック部２１ｂと、下端に他面側へ折れ曲がる屈曲片２１ｃを設けて形成され、前記フック部２１ｂを前記ボイド型枠架台１１における受け部材１２の下部中央位置に係止した吊下げ状態で、屈曲片２１ｃはスラブ型枠１６の上面よりも上に位置するような上下寸法になっており、この屈曲片２１ｃにねじ挿通孔３２が設けられている。
【００４２】
なお、フック部２１ｂ、屈曲片２１ｃとも強度向上を目的とし補強用リブを設けておくことが好ましい。この構成で最も重要なことは、フック部２１ｂと屈曲片２１ｃが互いに離れるように配置していることにある。なぜならば、互いに離れるように位置させたことで、ねじ部材２２の螺入が進み、ナット部材１９がスラブ型枠に密着後、さらに螺入を進めた時に、ねじ部材２２のねじ軸３４をねじ切り部から湾曲させることが可能となるためである。この湾曲はフック部２１ｂと屈曲片２１ｃを互いに離れるように位置させたことで回転モーメントが発生するためである。
【００４３】
なお、ねじ軸３４が湾曲させることで後述するねじ軸３４を千切る際、回り止め効果が高くなる。
【００４４】
上記ねじ部材２２は、一端に頭部３３を有するねじ軸３４が、フック部材２１のねじ挿通孔３２に挿通した状態でスラブ型枠１６の裏面側に所定長さ突出する長さを有し、前記ねじ軸３４の途中にねじ切り部３５と先端に回転工具の係合部３６が設けられている。
【００４５】
このねじ部材２２は、ねじ軸３４の雄ねじがナット部材１９のねじ孔２３に螺合するように設定され、頭部３３がコンクリート硬化後の回り止めのために六角等の多角形に形成され、ねじ切り部３５はねじ軸３４にＶ字状の周溝を切削してねじ軸３４を部分的に細径にすることにより形成され、ねじ切り部３５の頭部３３からの位置は、フック部材２１の屈曲片２１ｃに設けたねじ挿通孔３２に挿通してスラブ型枠１６を貫通させた状態で、スラブ型枠１６の上面に等しいかそれよりも上に位置するように設定されている。
【００４６】
また、ねじ軸３４の先端部に設けた回転工具の係合部３６は、軸心を挟む両側を平坦面に切削して５ｍｍ以上の長さを有する小判形にすることにより形成され、回転工具３８を係合してねじ軸３４に回転力を加えることができるようになっている。なお、先端部は小判形のみならず、工具が係合できるように多角形形状としても良い。
【００４７】
この発明の固定装置１８は、上記のような構成であり、次に、この固定装置１８を用いたボイドスラブの構築方法を説明する。
【００４８】
図６（ａ）のように、スラブ型枠１６のボイド型枠架台１１を固定せんとする位置に予め貫通孔１７を穿設しておき、スラブ型枠１６の上面から貫通孔１７に、長さ方向を縦にしたナット部材１９と、このナット部材１９の平坦面１９ａに重なるように変形させたバネ部材２０を差込み、ナット部材１９をねじ部材２２の先端で押し込むことにより、ナット部材１９をスラブ型枠１６の裏面側に通過させる。
【００４９】
このとき、バネ部材２０は、貫通孔１７に収まるように変形して引き伸ばされるが、大径端部をスラブ型枠１６の上面に残しておくことにより、ナット部材１９をスラブ型枠１６の裏面側に通過させても、バネ部材２０は貫通孔１７を通過することはなく、従って、ナット部材１９をスラブ型枠１６の裏面側に落下させることはない。
【００５０】
上記ナット部材１９の全長が貫通孔１７を通過すると、バネ部材２０は自身の弾性でテーパーコイル状に復元して収縮し、その大径端部が貫通孔１７の上端に係合して下方への抜け止めとなり、ナット部材１９を中央の位置で引き上げることになり、このため、ナット部材１９は、水平状態となってその平坦面１９ａがスラブ型枠１６の裏面に圧接し、ねじ孔２３が貫通孔１７と同軸心の状態となる。
【００５１】
このように、スラブ型枠１６に対するナット部材１９の取付けは、スラブ型枠１６の上面から一人の作業員によって行えることになる。
【００５２】
次に、スラブ型枠１６の上面で貫通孔１７の近接位置にボイド型枠架台１１を載置し、図６（ｂ）のように、上端のフック部２１ｂをボイド型枠架台１１の受け部材１２に係止したフック部材２１のねじ挿通孔３２が貫通孔１７の直上になるよう、ボイド型枠架１１の位置を決め、フック部材２１のねじ挿通孔３２に上から差込んだねじ部材２２のねじ軸３４を、貫通孔１７内に納まるバネ部材２０の内部に挿入し、このねじ部材２２を回転させることでねじ軸３４をナット部材１９のねじ孔２３にねじ込む。
【００５３】
図６（ｃ）のように、ねじ部材２２をナット部材１９のねじ孔２３にねじ込むと、ナット部材１９はスラブ型枠１６に引き寄せられ、平坦面１９ａがスラブ型枠１６の裏面に圧接すると同時に、フック部材２１と共にボイド型枠架台１１が引き下げられ、ボイド型枠架台１１がスラブ型枠１６の上に固定化される。
【００５４】
このとき、スラブ型枠１６の裏面に圧接するねじ部材１９の平坦面１９ａに突起２５が設けてあるので、これがスラブ型枠１６の裏面に食い込み、ねじ部材２２のねじ込み時にナット部材１９が共回りするのを防ぎ、ねじ部材２２のねじ込みが支障なく行えるようになっていると共に、前記バネ部材２０は左巻きのテーパーコイルに形成されているので、右ねじのねじ部材２２をナット部材１９のねじ孔２３にねじ込むとき、ねじ部材２２でバネ部材２０が巻き絞められてねじ部材２２のねじ込みが不能になるのを防ぐことができる。
【００５５】
また、ねじ部材２２の螺入に伴う右回転の力がナット部材１９に作用しても、ナット部材１９はスラブ型枠１６から離れることが無いように（右巻きの場合、ねじ螺入方向にナット部材が共回りしながら螺旋回転移動して下側面方向に動いてゆく）バネ部材２０を左巻きとしていることで、ナット部材１９はスラブ型枠１６に近寄るようになり、ねじ部材２２の螺入を円滑にすることが可能となり、施工性を向上することが可能となる。
【００５６】
上記のように、スラブ型枠１６上にボイド型枠架台１１を固定化すると、図７(ａ)のように、ボイド型枠架台１１上にボイド型枠１４を載置してこのボイド型枠架台１１に固定化し、この状態で図７（ｂ）のように、スラブ型枠１６上にコンクリート３７を打設してボイドスラブを形成する。
【００５７】
ボイド型枠１４は、両端が閉鎖された内部が中空になっているので、コンクリート３７の打設時に浮力を生じることになるが、ボイド型枠架台１１と固定装置１８を介してスラブ型枠１６上に固定されているので、浮力による浮き上がりの発生はなく、所定の位置にボイドを備えたボイドスラブを構築することができる。
【００５８】
ボイドスラブのコンクリート３７が凝固すると、図８(ａ)のように、スラブ型枠１６の下面に突出しているねじ部材２２の係合部３６に対して回転工具３８を係合させ、このねじ部材２２のねじ軸３４に回転力を加えると、頭部３３がコンクリート３７内に埋まること及びねじ軸３４が湾曲することで回り止めとなるねじ部材２２は、ねじ軸３４に設けたねじ切り部３５に負荷が加わることで、ねじ軸３４はねじ切り部３５の部分が千切れることになる。
【００５９】
ねじ切り部３５の部分が千切れると、図８（ｂ）のように、回転工具３８を撤去し、ねじ軸３４の先端を手で引き下げると、貫通孔１７からねじ軸３４のねじ切れた先端側とバネ部材２０が引き出され、最終的にバネ部材２０の大径端が貫通孔１７から抜け出るように引っ張れば、図９のように、ねじ軸３４のねじ切れた先端側とバネ部材２０をスラブ型枠１６から離脱させることができ、これによって、スラブ型枠１６にボイド型枠架台１１を固定する部分がなくなり、スラブ型枠１６の解体作業が支障なく行えることになる。
【符号の説明】
【００６０】
１１        ボイド型枠架台
１２        受け部材
１３        支持脚
１４        ボイド型枠
１５        線材
１６        スラブ型枠
１７        貫通孔
１８        固定装置
１９        ナット部材
２０        バネ部材
２１        フック部材
２２        ねじ部材
２３        ねじ孔
２４        リブ
２５        回転防止用の突起
２６        バネ部材結合部
２７        外筒
２８        内筒
２９        円筒
３０        周溝
３１        テーパー筒
３２        ねじ挿通孔
３３        頭部
３４        ねじ軸
３５        ねじ切り部
３６        係合部
【図１】
2010248733.tif 000003
【図２】
2010248733.tif 000004
【図３】
2010248733.tif 000005
【図４】
2010248733.tif 000006
【図５】
2010248733.tif 000007
【図６】
2010248733.tif 000008
【図７】
2010248733.tif 000009
【図８】
2010248733.tif 000010
【図９】
2010248733.tif 000011
【図１０】
2010248733.tif 000012